(57)【特許請求の範囲】
【請求項１】
天面側に携帯端末装置の一つの角部に掛合し前記携帯端末装置を起立させる掛合手段と、底面側に回転またはスライドすることで設置面積を拡張する設置面積拡張手段とを備え、前記天面側と前記底面側が所定の間隔を有する携帯端末装置のアクセサリー。
【請求項２】
複数の突起を有したタッチパネル入力手段である携帯端末装置用タッチパネルの入力部が前記天面側と前記底面側との間に設けられている請求項１記載の携帯端末装置のアクセサリー。
【請求項３】
前記複数の突起の先端形状がそれぞれ異なる請求項２記載の携帯端末装置のアクセサリー。
【請求項４】
前記天面側と前記底面側とにより形成された所定の間隔には、少なくとも携帯端末装置と電気的に接続可能で他の装置とも接続可能な場合がある電気的な接続部材が納められ、前記電気的な接続部材からは前記携帯端末装置の外部に設けられた接続口と接続する接続端子が設けられている請求項１記載の携帯端末装置のアクセサリー。
【発明の詳細な説明】
【技術分野】
【０００１】
本発明は、平板状（タブレット状）で、動画を視聴できる機能を有し、表示部にタッチパネルの機能を備えた携帯端末装置のアクセサリーに関する。
【背景技術】
【０００２】
平板状で、動画を視聴できる機能を有し、表示部にタッチパネルの機能を備えた携帯端末装置の具体例としては、電話機能を備えたものとしては、スマートフォン（多機能携帯電話）や、パーソナルコンピューターの一種としてタブレット型メディアプレイヤー（多機能携帯端末）がある。ただ、これらは使用者の要望により様々な機能を重複して持たされている場合も多く、機能の有無だけで明確に分類することが難しい場合が多い。【０００３】
そのため、この携帯端末装置のアクセサリーの発明における対象となる携帯端末装置にについて、必要な機能を列挙して説明する。必要な機能としては、電池（充電池）を内蔵することで携帯性を有しており、携帯性を向上させるため筐体を小さくした平板状（タブレット状）であり、情報を一括して見易くする等の視認性を向上させるために平板の最も広い一面における表示部の占める割合はできるだけ大きくし、同時にこの表示部にはタッチパネルの機能と、ワンセグ等の携帯機器を受信対象とする地上デジタル放送の受信および／またはダウンロードされた映画や音楽等の動画の情報を再生できる機能を有しており、ストラップの取り付け孔のようなアクセサリーと一時的にまたは継続して接続できる機能である。【０００４】
携帯端末装置で前述の動画等を視聴するために使用する場合には、携帯端末装置に対しての操作は最初に行えば不要となる場合も多く、連続して視聴する際に常時手で持つ方法よりも、手を使わずに机やテーブル等の適当な場所に置いて視聴したい場合もあった。携帯端末装置は平板状であることから、単に机やテーブル等の天板上に置くと、覗き込んで見る必要があり見難いため、携帯端末装置を見易い角度に立てて置きたいという要望があった。このような要望のため、例えば、特許文献１に記載された携帯端末装置の置き台がある。【０００５】
なお、携帯端末装置では、動画の視聴だけではなく、文字や図より成る新聞記事、パンフレット等の商品の説明書、小説や漫画等を読む場合でも、携帯端末装置を机やテーブル上に立てて置き、手を離した状態で使用する方が良い場合もある。例えば、料理をしながら、携帯端末装置でその料理の調理方法を確認しながら料理をする場合や、参考文献を読みながら、参考文献の記載を参照して書類を纏める場合などである。【０００６】
ただ、携帯端末装置のタッチパネルの機能を使用する場合には、使用者がその操作に集中するために携帯端末装置を片手で持って操作する方が便利であり、タッチパネルは通常は指先で操作するものであるが、細かい操作や複合した操作については、スタイラスペンを用いて入力できる方が便利であった。
【先行技術文献】
【特許文献】
【０００７】
【特許文献１】特開平８−３０７５００号公報
【特許文献２】実用新案登録第３１６０４０１号公報
【発明の概要】
【発明が解決しようとする課題】
【０００８】
しかしながら、特許文献１記載のような従来の携帯端末装置の置き台では、携帯端末装置と等しい大きさか、携帯端末装置よりも大きな形状であり、携帯端末装置用のアクセサリーのように、携帯端末装置と共に携帯することは考えられておらず、携帯することが出来ないという問題があった。【０００９】
なお、携帯端末装置用のアクセサリーとして必要な機能としては、携帯端末装置と一体に携帯できるように、例えばストラップの紐に取り付けることが可能な構成とすることや、携帯端末装置のイヤホーンジャックのコネクターの形状をした端子を接続できることである。また、携帯端末装置と一体に携帯するためには、携帯端末装置の外形形状に比較してかなり小さい形状で、外観がアクセサリーに適した美観を有しており、携帯に便利にように最も小さくした場合に全体形状に纏まりがあることが必要であると考えられる。【００１０】
さらに、特許文献２に記載されている様にスタイラスペンについては携帯端末装置用のアクセサリーとして使用される例であり、このような携帯端末装置用のアクセサリーとしてのスタイラスペンについては、携帯端末装置用の置き台として使用できるものはなかった。
【課題を解決するための手段】
【００１１】
上記の課題を解決するため、本発明では、次の技術的手段を講じている。【００１２】
第１発明の携帯端末装置のアクセサリーは、天面側に携帯端末装置の一つの角部に掛合し前記携帯端末装置を起立させる掛合手段と、底面側に回転またはスライドすることで設置面積を拡張する設置面積拡張手段とを備え、前記天面側と前記底面側が所定の間隔を
有している。
【００１３】
第２発明の携帯端末装置のアクセサリーは、請求項１記載の発明において、複数の突起を有したタッチパネル入力手段である携帯端末装置用タッチパネルの入力部が前記天面側と前記底面側との間に設けられている。【００１４】
第３発明の携帯端末装置のアクセサリーは、請求項２記載の発明において、複数の突起状のタッチパネル入力手段の先端形状がそれぞれ異なつている。【００１５】
第４発明の携帯端末装置のアクセサリーは、請求項１記載の発明において、前記天面側と前記底面側とにより形成された所定の間隔には、少なくとも携帯端末装置と電気的に接続可能で他の装置とも接続可能な場合がある電気的な接続部材が納められ、前記接続される部材からは前記携帯端末装置の外部に設けられた接続口と接続する接続端子が設けられている。
【発明の効果】
【００１６】
以上のような技術的手段を有することにより、以下の効果を有する。【００１７】
第１発明によれば、天面側に携帯端末装置の一つの角部に掛合し前記携帯端末装置を起立させる掛合手段と、底面側に設置面積を拡張する設置面積拡張手段とを備え、前記天面側と前記底面側が所定の間隔を有しているので、携帯端末装置よりもかなり小さい纏まった状態のアクセサリーで、携帯端末装置と共に携行できると共に、アクセサリーを机やテーブル等の上に置いた場合に設置面積を広げて携帯端末装置を安定して保持できる携帯端末装置用の置き台として使用できる。【００１８】
第２発明によれば、第１発明の効果に加えて、複数の突起状のタッチパネル入力手段を有した携帯端末装置用のタッチパネル入力部が前記天面側と前記底面側との間に設けられているので、アクセサリーを置き台として使用する場合に必要となる天面側と底面側との空間を有効に利用することが可能となり、携帯端末装置を手で持って使用する場合には置き台としての機能は不要となるので、アクセサリーをタッチパネル入力手段として使用することができる。【００１９】
第３発明によれば、第２発明の効果に加えて、複数の突起状のタッチパネル入力手段の先端形状がそれぞれ異なるので、タッチパネル入力手段において、タッチパネルへの入力時の先の太さや入力時の効果を変えることが可能となる。【００２０】
第４発明によれば、第１発明の効果に加えて、前記天面側と前記底面側とにより形成された所定の間隔には、少なくとも携帯端末装置と電気的に接続可能で他の装置とも接続可能な場合がある電気的な接続部材が納められ、前記接続される部材からは前記携帯端末装置の外部に設けられた接続口と接続する接続端子が設けられているので、電気的な接続部材を常に携帯して、携帯端末装置での使用や、共通に使える可能性のあるその他のパーソナルコンピューター、カメラやオーディオ機器等についても使用することができるので、利便性を向上させることができる。
【図面の簡単な説明】
【００２１】
【図１】本発明に係る実施例１の携帯端末装置のアクセサリーの分解図である。
【図２】本発明に係る実施例１の携帯端末装置のアクセサリーの使用状態説明図であり、（ａ）は携帯時の図で、（ｂ）は入力部タッチパネルの入力部を引き出した場合の図である。
【図３】本発明に係る実施例１の携帯端末装置のアクセサリーに、携帯端末装置を取り付ける場合の説明図であり、（ａ）は携帯端末装置を縦長にして使用する場合、（ｂ）は携帯端末装置を横長にして使用する場合である。
【図４】本発明に係る実施例１の携帯端末装置のアクセサリーと、携帯端末装置との掛合関係を説明するための側面図である。
【図５】本発明に係る実施例２の携帯端末装置のアクセサリーの使用状態説明図であり、（ａ）は携帯時の図で、（ｂ）は設置面積拡張板を引き出した場合の図で、（ｃ）はタッチパネルの入力部を引き出した場合の図である。
【図６】本発明に係る実施例３の携帯端末装置のアクセサリーの外観図である。
【図７】本発明に係る実施例３の携帯端末装置のアクセサリーの底板（部）を広げた状態の外観である。
【発明を実施するための形態】
【００２２】
発明を実施する形態について、図面に基づいて具体的に説明する。
【実施例１】
【００２３】
本発明の携帯端末装置のアクセサリー（以下。単にアクセサリー１と呼ぶ。）について、図１のアクセサリー１の分解図を用いて、アクセサリー１の構成を説明する。図１の上側から天板部１０、入力部２０、底板部３０およびこれらを結合するネジ４０で構成されている。アクセサリー１の大きさについては、携帯端末装置の大きさに合せて適当な大きさになっている。【００２４】
天板部１０は、天板１１と、天板１１の周囲の一部から下方に延びる側板１２で構成され、ＡＢＳ樹脂、ポリプロピレン樹脂等の硬質合成樹脂を用いて成型されている。天板１１は一方に尖った丸みの端１３と、尖った丸みの端１３の反対側に緩やかな丸みの端１４が有り、全体的に滑らかな曲線より成る団栗のような形に形成されている。尖った丸みの端１３から、緩やかな丸みの端１４に向かって天板１１の幅は増加しており、緩やかな丸みの端１４の近傍の片側にはコの字状の切欠き１５が設けられている。尖った丸みの端１３の近傍の天板１１の内面には下方に向かって円筒状で先端に雌ネジ穴を有した雌ネジ突起１６が設けられている。【００２５】
側板１２は、緩やかな丸みの端１４側と、切欠き１５が設けられてない側の一部に、連続した垂れ壁状に設けられている。緩やかな丸みの端１４側の側板１２の外面にはストラップ用の紐が取り付けられる紐用突起１７が設けられている。また、側板１２の緩やかな丸みの端１４側で切欠き１５に対応する部分の内面側には、切欠き１５の切欠きに連接する垂直な当て面１８が設けられている。【００２６】
入力部２０は、略Ｙ字状の３カ所の突起を有した形状で所定の厚みを有し、可撓性と復元性を有した合成ゴムや軟質合成樹脂に、導電性を有した紛体を添加することで導電性を付加した材料を用いて成型されている。入力部２０の突起が三方に突出する部分の略中央部には、雌ネジ突起１６が差し込まれた状態で、入力部２０が適度な力を加えると回動することが可能な孔径に調整された孔２１が設けられている。略Ｙ字状の３カ所の突起の先端は夫々、半径約３ミリメートル程度の半球である入力端中２２、半径約５ミリメートル程度の半球である入力端大２３、半径約１．５ミリメートル程度の半球である入力端小２４に成型されている。【００２７】
底板部３０は、略平板状の底板３１で構成され、底板３１は天板１１とほぼ相似の団栗のような形で天板１１に対応する位置に同様の大きさの切り欠き３５が設けられており、ＡＢＳ樹脂、ポリプロピレン樹脂等の硬質合成樹脂を用いて成型されている。底板３１には天板部１０の雌ネジ突起１６に対応する位置にネジ孔３２が設けられており、ネジ孔３２の周囲は雌ネジ突起１６の外周円に嵌合する窪み３３が設けられている。窪み３３を設ける理由は、底板部３０の天板部１０への位置決めが簡単になり、アクセサリー１の組立を容易にするためである。【００２８】
アクセサリー１の組立は、入力部２０の孔２１に天板部１０の雌ネジ突起１６を差し込んで、入力部２０を天板部１０の内側に納め、その後、雌ネジ突起１６に底板部３０の窪み３３を組み付け、底板部３０のネジ孔３２を貫通させたネジ４０が雌ネジ突起１６にねじ込まれることで完成する。なお、アクセサリー１がアクセサリーとして用いられることを考慮してネジ４０の頭部が底板３１の外部に出っ張らないようにネジ４０を皿ネジとし、底板３１の外面には皿ネジに対応する窪みも設けられている。【００２９】
図２（ａ）はアクセサリー１の組立後の状態であり、この状態では、アクセサリー１の内部に入力部２０の入力端大２３と入力端小２４は納められた状態であり、携帯端末装置と共に携帯するのに適した纏まった形状にすることができる。この状態でも、入力部２０の入力端中２２は外部に突き出ているので、アクセサリー１の外側を持つことで、アクセサリー１全体として携帯端末装置用のスタイラスペンとして使用することが出来る。【００３０】
次に図２（ｂ）は、入力部２０の入力端大２３および入力端小２４をアクセサリー１の外部に取り出した状態である。図２（ａ）の状態から図２（ｂ）の状態にするには、図２（ａ）における切欠き１５に指を入れ、入力端大２３に指を掛け、雌ネジ突起１６を軸として、入力部２０を手前方向に回転させることで、図２（ｂ）の状態となる。なお、天板部１０の切欠き１５が設けられている側には、側板１２が設けられていないのはこのためである。【００３１】
図２（ｂ）の状態で、アクセサリー１の外側を持つことで、入力端大２３と入力端小２４両方を使用して、携帯端末装置のタッチパネルの２ヶ所同時に操作を行うことが可能であり、携帯端末装置の画面の拡大や縮小操作も容易にできる。また、入力部２０の天板部１０に対する角度は変更できるので、入力端大２３または入力端小２４のどちらか一方をスタイラスペンとして使用することも可能となる。また、入力端大２３、入力端小２４および入力端中２２の形状は夫々異なっているので、タッチパネルに対するスタイラスペンとして、文字や画等の書き味を変えて入力することが可能となる。【００３２】
図３（ａ）および（ｂ）はアクセサリー１を携帯端末装置６の置き台として使用した場合を説明する図である。図３（ａ）では、携帯端末装置６（破線により示している。）を縦長に置く状態でアクセサリー１に掛合させて立て掛けた場合の図であり、図３（ｂ）では、携帯端末装置６を横長に置く状態でアクセサリー１に掛合させて立て掛けた場合の図である。図３（ａ）および（ｂ）の携帯端末装置６の画面６１は、アクセサリー１によりやや上方に向く方向で立て掛けることが出来る。【００３３】
図３（ａ）および（ｂ）の何れも、アクセサリー１は、天板部１０の内部から入力部２０と底板部３０を、雌ネジ突起１６が軸となって回転させることで天板部１０の外側に出した状態で使用している。なお、入力部２０の入力端大２３の長さが、切欠き１５からはみ出ることのない長さの場合には、入力部２０を外に出す必要はない。【００３４】
底板部３０を回転させてアクセサリー１の切欠き１５より離れた方向に底板部３０を広げることで、携帯端末装置６を支える点は携帯端末装置６から離れた点に置くことができる。そして、携帯端末装置６の立て掛けられた状態は安定することになる。また、底板部３０の回転させる角度を変えることで、携帯端末装置６より最も離れた携帯端末装置６の支える点を変更して、携帯端末装置６の縦長や横長の状態に合わせて携帯端末装置６が安定する状態を調節することができる。なお、図２（ｂ）のように、底板部３０を天板部１０の外側に出さずに、入力部２０だけを天板部１０の外側に出した状態でも、携帯端末装置６を立て掛けることも可能であるが、底板部３０を天板部１０の外側に出した方がより携帯端末装置６の状態は安定する。【００３５】
図３（ａ）および（ｂ）では、天板１１の切欠き１５に携帯端末装置６の一つの角を差し込んで立て掛けるのではあるが、アクセサリー１と携帯端末装置６の掛合関係について図４を用いて詳しく説明する。【００３６】
図４は、アクセサリー１の天板部１０の切欠き１５の開口側から見た側面図である。
アクセサリー１の外部には入力部２０と底板部３０が出た状態で、机やテーブル等の平面７上に置かれている。切欠き１５の開口幅Ａは、携帯端末装置６（破線により示している。）の厚みＢよりも所定の余裕を持ち、携帯端末装置６が不安定にならない程度の傾きをもって立て掛けられるように調整されている。例えば、携帯端末装置６がスマートフォンの場合には、厚みＢは８〜１２ミリメートル程度の場合が一般的であるので、開口幅Ａは１２〜１６ミリメートル程度とされている。このように携帯端末装置６が立て掛けられた場合に携帯端末装置６の画面６１はやや上方向に向くことで、視聴し易くなる。【００３７】
携帯端末装置６は平面７に携帯端末装置６の下部６２を接触した状態で、切欠き１５の内部に入り、切欠き１５の左端１５ａと、切欠き１５の右端１５ｂより延びる当て面１８に携帯端末装置６の角６３が当たるので、携帯端末装置６は倒れることなく、所定の角度で起立状態を保つことになる。【００３８】
このため、アクセサリー１の天面側と底面側との間隔は、左端１５ａと当て面１８に携帯端末装置６の角６３が当たる点に所定の間隔が必要になることになる。尤もと、天面側と底面側との間隔については、携帯端末装置６の角６３の丸みが大きくなれば、天面側と底面側との間隔を広くする必要があり、天面側と底面側との間隔を狭くするためには、当て面１８についての形状を変えても良い。例えば、携帯端末装置６の角６３が滑りにくくさせるために、当て面１８の表面を粗い状態に加工したり、摩擦力が大きく働くゴムシートや粗い布等の素材を張り付けたり、当て面１８に角６３が潜り込むための窪みを設ける等である。ただし、天面側と底面側との間隔は携帯端末装置６が起立状態を安定して保つためには携帯端末装置６の角６３が滑らかな丸み形状であるため、ある程度の間隔は必要になる。【００３９】
以上のように、アクセサリー１の天面側の天板部１０には携帯端末装置６の一つの角部に掛合し、携帯端末装置６を起立させる掛合手段が設けられており、アクセサリー１の底面側の底板部３０には、設置面積を拡張する設置面積拡張手段が設けられている。
【実施例２】
【００４０】
本発明のアクセサリー２について、図５を用いて説明する。実施例１のアクセサリー１と大きく異なる点は、実施例１のアクセサリー１の設置面拡張手段とタッチパネル入力手段の機構が回動式であるのに対して、実施例２のアクセサリー２の設置面拡張手段とタッチパネル入力手段の機構がスライド式である点である。この異なる点以外、図３および図４で説明した携帯端末装置との掛合状態については基本的に実施例２と実施例１とは同じものであるので、説明を省略する。【００４１】
図５（ａ）はアクセサリー２の外観を示している。図５（ａ）アクセサリー２が携帯端末装置と共に携帯するのに適した纏まった場合の形状であり、実施例１の図２（ａ）の状態にアクセサリー１が成っている場合と似通った外観を呈している。アクセサリー２はその大部分を構成する筐体５０に、紐用突起１７が付けられて形成されている。筐体５０の紐用突起１７が取り付けられた側に近くは、コの字型の切欠き５１が設けられている。また紐用突起１７の取り付けられた反対側の端には、入力端大５３、入力端小５４および設置面積拡張板５５が、筐体５０に収納され、その端だけを外部に露出させた状態となっている。【００４２】
なお、筐体５０については、ＡＢＳ樹脂、ポリプロピレン樹脂等の硬質合成樹脂を用いて成型されており、加工の方法によっては、筐体５０を２分割や３分割等にして接着やネジ止め等により成形することも可能である。【００４３】
図５（ｂ）は筐体５０から設置面積拡張板５５をスライドさせて引き出した状態を示す図である。アクセサリー２の底面側に設けられた設置面積拡張板５５を切欠き５１から離れた方向に引き出すことで、携帯端末装置から離れた位置で携帯端末装置を支えることが可能になるため、携帯端末装置は安定して起立させることができる。設置面積拡張板５５は、同一の幅の長方形の板であり、筐体５０と接触する側面には筐体５０から脱落しないための凸部が設けられており、筐体５０側の凹部と嵌合するようになっている。また、設置面積拡張板５５には筐体５０から完全に引き抜かれないための抜け止め防止機構が、設置面積拡張板５５の筐体５０の内部に最も入る側の端に設けられている。【００４４】
図５（ｃ）筐体５０から入力端大５３と入力端小５４とを引き出した状態を示す図である。アクセサリー２の外側を持つことで、入力端大５３と入力端小５４両方を使用して、携帯端末装置のタッチパネル２ヶ所同時に操作を行うことが可能であり、携帯端末装置の画面の拡大操作も容易にできる。また、入力端大５３と入力端小５４のどちらか一方のみを引き出すことも可能であるので、入力端大５３または入力端小５４のどちらか一方をスタイラスペンとして使用することが可能となる。また、入力端大５３と入力端小５４の形状は夫々異なっているので、スタイラスペンとしての書き味を変えて入力することが可能となる。【００４５】
入力端大５３および入力端小５４を支える軸の部分は共に可撓性と復元性を有した合成ゴムや軟質合成樹脂に、導電性を有した紛体を添加することで導電性を付加した材料を円筒に成形したもので、筐体５０の内部に設けられた筒の内部をスライドする機構を備えている。また、入力端大５３および入力端小５４に連なるそれぞれの軸の、筐体５０の内部に最も入る側の端には、筐体５０から完全に引き抜かれないための抜け止め機構が設けられている。【００４６】
また、入力端大５３および入力端小５４に連なるそれぞれの軸の、筐体５０の内部に最も入る側の端には、スタイラスペンで使用する場合に簡単に押し戻されないようにする軸の固定機構が設けられている。抜け止め防止機構及び軸の固定機構の例としては、入力端大５３および入力端小５４に連なるそれぞれの軸の材質は可撓性と復元性を有しているので、入力端大５３および入力端小５４に連なるそれぞれの軸の、筐体５０の内部に最も入る側の端の軸径を端に向かうに従って段々大きくする方法である。
【実施例３】
【００４７】
本発明のアクセサリー３について、図６を用いて説明する。
実施例１のアクセサリー１と大きく異なる点は、実施例１のアクセサリー１の天板部１０の天板１１と底板部３０の底板３１の間、つまり天面側である天板１１と底面側である底板３１との間の所定の間隔には入力部２０が納められている。これに対して、実施例３のアクセサリー３の天面側である天板部１０ａの天板１１ａと底面側である底板部３０ａの底板３１ａとの間所定の間隔には電気的に接続される部品である電気部品７０が納められていることである。また、アクセサリー３の天板部１０ａと底板部３０ａより形成される外観は、アクセサリー１が略団栗形状であったのに対して、アクセサリー３の形状は略Ｔの字形状になっている。【００４８】
図７はアクセサリー３において、底板部３０ａの底板３１ａを回転させてアクセサリー３の切欠き１９より離れた方向に底板３１ａを広げ、同時に電気部品７０も定板３１ａと同様に回転させた状態を示す図である。図７の状態にすることにより、天板１１ａに設けた切欠き１９で、携帯端末装置６を立て掛けられた状態にすることができる。なお、このアクセサリー３に納められた電気部品７０やアクセサリー３の外観を除き、図３および図４で説明した携帯端末装置６との掛合状態については、基本的には実施例３と実施例１とは同じものであるので、説明を省略する。【００４９】
アクセサリー３に納められた電気部品７０は、携帯端末装置６と電気的に接続可能な接続部材であるので、例えば携帯端末装置６に備えられた外部インターフェイスであるＵＳＢソケット（メス）等の接続口８に接続可能なＵＳＢプラグ等の接続端子７１を有した、充電用電池や、ソーラーパネル等の発電手段を備えた充電器、外部記憶装置となるメモリー、無線ＬＡＮや携帯電話等の無線通信手段と送受信可能な無線通信装置等である。また、外部インターフェイスの接続口８が音響用ソケット（メス）である場合には、電気部品７０は前記音響用ソケット（メス）に接続可能な音響用プラグの接続端子７１を備えているイヤホーンやスピーカー等とすることもできる。なお、これらの充電用電池、充電器、外部記憶装置、イヤホーンやスピーカー等に関しては、携帯端末装置６についてのみ使用できるものではなく、接続端子７１に対応する接続口８を有しており、接続することが可能な規格が合致する、その他のパーソナルコンピューター、カメラやオーディオ機器等についても使用することができる。【００５０】
電気部品７０の用途により、電気部品７０と接続端子７１との接続方法は、電気部品７０の外面に直接露出するように設ける場合と、図６の様に、電気部品７０に所定の長さの電線（コード・ケーブル）７２を接続して接続端子７１と結ぶようにする方法がある。電線７２をアクセサリー３のストラップ用の紐として兼ねさせることも可能であり、電線７２をストラップ用の紐として兼ねる場合には、実施例１の場合の紐用突起１７を設けずにアクセサリー３の側板１２ａの適当な位置に電線７２を掛止させて取り出す。【００５１】
なお、天面側である天板部１０と底面側である底板部３０との間の所定の間隔には、その大きさ等には制限があるが、
口紅、化粧水、香水等の容器に納められた化粧品や鏡や櫛等の化粧用具類、
小型の巻尺、筆記用具、はさみ、スタンプや印判等の文房具類、
ねじ回し、レンチやナイフ等の工具類、
懐中電灯、ポインター、キーホルダー、防犯ブザー、
携帯端末装置の表示部やケーシングの汚れを拭き取れる布、紙、スポンジ等のクリーニング用具、携帯端末装置６のクリーニングに使用する容器に入った液状のクリーナー等の携帯端末装置と同時に携帯すると便利な物を納めるようにしても良い。【００５３】
以上、本発明について、実施例に基づき説明してきたが、本発明は何らこれらの実施例の構成に限定するものではない。例えば、アクセサリー１、アクセサリー２の形状やアクセサリー３については、略団栗形状や略Ｔの字形状に限らず、円形、三角形、四角形、台形、ハート形等の様々な形状で実施が可能である。また、入力部の先端の形状や大きさについては一例を説明したが、携帯端末装置との関係により適切なものを選択する。さらには、材質についても一例であり必要な機能を満たせばその他の材料を使用しても実施可能である。【００５４】
本発明の特定の実施の携帯についての上記説明は、例示を目的として提示したものである。それらは、網羅的であったり、記載した形態そのままに本発明を制限することを意図したものではない。数多くの変形や変更が、上記の記載内容に照らして可能であることは当業者に自明である。
【産業上の利用可能性】
【００５５】
本発明の携帯端末装置のアクセサリーは、携帯端末装置と共に携行できると共に、アクセサリーを机やテーブル等の上に置いた場合に設置面積を広げて携帯端末装置を安定して保持できる携帯端末装置用の置き台として使用できるので、産業上有用である。
【符号の説明】
【００５６】
１、２、３：アクセサリー
６：携帯端末装置
７：平面
８：接続口
１０、１０ａ：天板部
１１、１１ａ：天板
１２、１２ａ：側板
１３：尖った丸みの端
１４：緩やかな丸みの端
１５、１９、３５、５１：切欠き
１５ａ：左端
１５ｂ：右端
１６：雌ネジ突起
１７：紐用突起
１８：当て面
２０：入力部
２１：孔
２２：入力端中
２３、５３：入力端大
２４、５４：入力端小
３０、３０ａ：底板部
３１、３１ａ：底板
３２：ネジ孔
３３：窪み
４０：ネジ
５０：筐体
５５：設置面積拡張板
６１：画面
６２：下部
６３：角
７０：電気部品
７１：接続端子
７２：電線
【要約】
従来の携帯端末装置の置き台では、携帯端末装置と等しい大きさか、携帯端末装置よりも大きな形状であり、携帯端末装置用のアクセサリーとして、携帯端末装置と共に携帯することは考えられておらず、携帯することが出来ないという問題があった。
携帯端末装置のアクセサリー１は、天面側に携帯端末装置６の一つの角部に掛合し、携帯端末装置を起立させる掛合手段１５と、底面側に設置面積を拡張する設置面積拡張手段３０とを備え、前記天面側と前記底面側が所定の間隔を有している。【図１】
0005580501.tif 000002
【図２】
0005580501.tif 000003
【図３】
0005580501.tif 000004
【図４】
0005580501.tif 000005
【図５】
0005580501.tif 000006
【図６】
0005580501.tif 000007
【図７】
0005580501.tif 000008